(57)【要約】      （修正有）【課題】既存プラントに設けられている海水通水設備を浄化することのできる海水通水設備の浄化装置を提供する。【解決手段】海水通水設備の浄化装置１０は、海水通水設備１の出口側に接続可能な浄化装置入口側配管１１と、海水通水設備の入口側に接続可能な浄化装置出口側配管１２と、水を加熱して温水を作るための加熱装置１３と、浄化装置出口側配管１２を介して温水を海水通水設備１に供給するためのポンプ１４と、加熱装置１３及びポンプ１４を収納する少なくとも１つの可搬体２０とを備える。【選択図】図１
0003213493.tif 000002
【実用新案登録請求の範囲】
【請求項１】
海水通水設備の浄化装置であって、
前記海水通水設備の入口側又は出口側の一方に接続可能な浄化装置入口側配管と、
前記海水通水設備の入口側又は出口側の他方に接続可能な浄化装置出口側配管と、
水を加熱して温水を作るための加熱装置と、
前記浄化装置出口側配管を介して前記温水を前記海水通水設備に供給するためのポンプと、
前記加熱装置及び前記ポンプを収納する少なくとも１つの可搬体と
を備える海水通水設備の浄化装置。
【請求項２】
前記加熱装置及び前記ポンプは１つの同じ可搬体に設けられる、請求項１に記載の海水通水設備の浄化装置。
【請求項３】
前記温水を貯留するためのタンクをさらに備える、請求項１または２に記載の海水通水設備の浄化装置。
【請求項４】
前記浄化装置入口配管を流通した温水を濾過するための濾過器をさらに備える、請求項１〜３のいずれか一項に記載の海水通水設備の浄化装置。
【請求項５】
前記温水を貯留するためのタンクを備え、
前記加熱器と前記ポンプと前記濾過器と前記タンクとは１つの同じ可搬体に設けられる、請求項４に記載の海水通水設備の浄化装置。
【請求項６】
前記可搬体が積載される輸送体をさらに備える、請求項１〜５のいずれか一項に記載の海水通水設備の浄化装置。
【請求項７】
前記可搬体と前記輸送体とは一体である、請求項６に記載の海水通水設備の浄化装置。
【請求項８】
前記浄化装置出口側配管は前記海水通水設備の入口側に接続される、請求項１〜７のいずれか一項に記載の海水通水設備の浄化装置。
【請求項９】
海水通水設備の浄化装置であって、
前記海水通水設備の入口側又は出口側の一方に接続可能な浄化装置入口側配管と、
前記海水通水設備の入口側又は出口側の他方に接続可能な浄化装置出口側配管と、
水を加熱して温水を作るための可搬式加熱装置であって、脱着自在な通水出入口部を有する可搬式加熱装置と、
前記浄化装置出口側配管を介して前記温水を前記海水通水設備に供給するための可搬式ポンプであって、脱着自在な通水出入口部を有する可搬式ポンプと
を備える海水通水設備の浄化装置。
【請求項１０】
前記温水を貯留するタンクであって、脱着自在な通水出入口部を有するタンクをさらに備える、請求項９に記載の海水通水設備の浄化装置。
【請求項１１】
前記浄化装置入口配管を流通した温水を濾過する濾過器であって、脱着自在な通水出入口部を有する濾過器をさらに備える、請求項９または１０に記載の海水通水設備の浄化装置。
【請求項１２】
前記可搬式ポンプからの前記温水は前記海水通水設備の入口側に供給される、請求項９〜１１のいずれか一項に記載の海水通水設備の浄化装置。
【請求項１３】
前記海水通水設備は、原子炉補機を冷却するための設備である、請求項１〜１２のいずれか一項に記載の海水通水設備の浄化装置。
【考案の詳細な説明】
【技術分野】
【０００１】
本開示は、海水通水設備の浄化装置に関する。
【背景技術】
【０００２】
火力発電所や原子力発電所のような各種プラントには、海水を流通させて冷却等を行う海水通水設備が設けられる場合がある。海水通水設備には海水が通水するため、海水通水設備に海生物が付着する場合がある。海生物の付着によって生じ得る海水通水設備のトラブルを予め防止するために、海水通水設備に温水を注入して人為的に海水通水設備の温度を上昇させることで、付着した海生物を死滅させることが行われている。このような技術が例えば、特許文献１及び２に記載されている。
【先行技術文献】
【特許文献】
【０００３】
【特許文献１】特許第２９８５６２８号公報
【特許文献２】特許第４０４０３４７号公報
【考案の概要】
【考案が解決しようとする課題】
【０００４】
しかしながら、海水通水設備はプラントの中で比較的規模の大きい設備であることが多いため、海水通水設備の浄化装置を設けるためには新設時の計画に盛り込む必要がある。既存プラントに海水通水設備の浄化装置を設けようとすると、大規模な配管工事を伴い、膨大な設備費や機器配置上の問題が発生するため、既存プラントに浄化装置を設けることは難しいといった問題点があった。
【０００５】
上述の事情に鑑みて、本考案の少なくとも１つの実施形態は、既存プラントに設けられている海水通水設備を浄化することのできる海水通水設備の浄化装置を提供することを目的とする。
【課題を解決するための手段】
【０００６】
（１）本考案の少なくとも１つの実施形態に係る海水通水設備の浄化装置は、
海水通水設備の浄化装置であって、
前記海水通水設備の入口側又は出口側の一方に接続可能な浄化装置入口側配管と、
前記海水通水設備の入口側又は出口側の他方に接続可能な浄化装置出口側配管と、
水を加熱して温水を作るための加熱装置と、
前記浄化装置出口側配管を介して前記温水を前記海水通水設備に供給するためのポンプと、
前記加熱装置及び前記ポンプを収納する少なくとも１つの可搬体と
を備える。
【０００７】
上記（１）の構成によると、必要時のみポンプと加熱装置とを搬入して海水通水設備の浄化装置を構成できるので、既存プラントに設けられている海水通水設備を浄化することができる。
【０００８】
（２）いくつかの実施形態では、上記（１）の構成において、
前記加熱装置及び前記ポンプは１つの同じ可搬体に設けられる。
【０００９】
上記（２）の構成によると、１つの可搬体を搬入することによりポンプ及び加熱装置を同時に搬入できるので、海水通水設備の浄化装置を容易に構成することができる。
【００１０】
（３）いくつかの実施形態では、上記（１）または（２）の構成において、
前記温水を貯留するためのタンクをさらに備える。
【００１１】
上記（３）の構成によると、タンクに貯留された温水をポンプが海水通水設備に供給できるので、ポンプが温水と共にガスを吸引してポンプが損傷するおそれを低減することができる。
【００１２】
（４）いくつかの実施形態では、上記（１）〜（３）のいずれかの構成において、
前記浄化装置入口配管を流通した温水を濾過するための濾過器をさらに備える。
【００１３】
上記（４）の構成によると、海生物が付着している可能性のある海水通水設備を流通して海水通水設備の浄化装置に戻る温水が濾過器によって浄化されるので、ポンプに海生物が流入してポンプが損傷するおそれを低減することができる。
【００１４】
（５）いくつかの実施形態では、上記（４）の構成において、
前記温水を貯留するためのタンクを備え、
前記加熱器と前記ポンプと前記濾過器と前記タンクとは１つの同じ可搬体に設けられる。
【００１５】
上記（５）の構成によると、１つの可搬体を搬入することによりポンプ、加熱装置、濾過器、及びタンクを同時に搬入できるので、海水通水設備の浄化装置を容易に構成することができる。
【００１６】
（６）いくつかの実施形態では、上記（１）〜（５）のいずれかの構成において、
前記可搬体が積載される輸送体をさらに備える。
【００１７】
上記（６）の構成によると、必要時に可搬体を輸送体によって搬入することができるので、可搬体に収容された構成要素を海水通水設備に後付けすることができる。
【００１８】
（７）いくつかの実施形態では、上記（６）の構成において、
前記可搬体と前記輸送体とは一体である。
【００１９】
上記（７）の構成によると、可搬体とは別に輸送体を準備することなく、必要時に可搬体を搬入することができるので、可搬体に収容された構成要素を海水通水設備に後付けすることができる。
【００２０】
（８）いくつかの実施形態では、上記（１）〜（７）のいずれかの構成において、
前記浄化装置出口側配管は前記海水通水設備の入口側に接続される。
【００２１】
上記（８）の構成によると、海水の流通方向と同じ方向に温水が海水通水設備を流通する。海水通水設備には、海水の流通方向の上流側ほど海生物が付着しやすいので、海水の流通方向の上流側ほど温度の高い温水が流通することにより、より確実に海生物を除去することができる。
【００２２】
（９）本考案の少なくとも１つの実施形態に係る海水通水設備の浄化装置は、
海水通水設備の浄化装置であって、
前記海水通水設備の入口側又は出口側の一方に接続可能な浄化装置入口側配管と、
前記海水通水設備の入口側又は出口側の他方に接続可能な浄化装置出口側配管と、
水を加熱して温水を作るための可搬式加熱装置であって、脱着自在な通水出入口部を有する可搬式加熱装置と、
前記浄化装置出口側配管を介して前記温水を前記海水通水設備に供給するための可搬式ポンプであって、脱着自在な通水出入口部を有する可搬式ポンプと
を備える。
【００２３】
上記（９）の構成によると、必要時のみ可搬式ポンプと可搬式加熱装置とを搬入して海水通水設備の浄化装置を構成できるので、既存プラントに設けられている海水通水設備を浄化することができる。
【００２４】
（１０）いくつかの実施形態では、上記（９）の構成において、
前記温水を貯留するタンクであって、脱着自在な通水出入口部を有するタンクをさらに備える。
【００２５】
上記（１０）の構成によると、タンクに貯留された温水をポンプが海水通水設備に供給できるので、ポンプが温水と共にガスを吸引してポンプが損傷するおそれを低減することができる。
【００２６】
（１１）いくつかの実施形態では、上記（９）または（１０）の構成において、
前記浄化装置入口配管を流通した温水を濾過する濾過器であって、脱着自在な通水出入口部を有する濾過器をさらに備える。
【００２７】
上記（１１）の構成によると、海生物が付着している可能性のある海水通水設備を流通して海水通水設備の浄化装置に戻る温水が濾過器によって浄化されるので、ポンプに海生物が流入してポンプが損傷するおそれを低減することができる。
【００２８】
（１２）いくつかの実施形態では、上記（９）〜（１１）のいずれかの構成において、
前記可搬式ポンプからの前記温水は前記海水通水設備の入口側に供給される。
【００２９】
上記（１２）の構成によると、海水の流通方向と同じ方向に温水が海水通水設備を流通する。海水通水設備には、海水の流通方向の上流側ほど海生物が付着しやすいので、海水の流通方向の上流側ほど温度の高い温水が流通することにより、より確実に海生物を除去することができる。
【００３０】
（１３）いくつかの実施形態では、上記（１）〜（１２）のいずれかの構成において、
前記海水通水設備は、原子炉補機を冷却するための設備である。
【００３１】
原子炉補機を冷却するための設備は、後付け可能な浄化装置によって浄化可能な比較的小規模であるので、上記（１３）の構成によると、海水通水設備の浄化装置が常設されていない既設プラントに設けられている海水通水設備を浄化することができる。
【考案の効果】
【００３２】
この考案の少なくとも１つの実施形態によれば、必要時のみポンプと加熱装置とを搬入して海水通水設備の浄化装置を構成できるので、既存プラントに設けられている海水通水設備を浄化することができる。
【図面の簡単な説明】
【００３３】
【図１】本考案の実施形態１に係る海水通水設備の浄化装置の全体構成を示す概略図である。
【図２】本考案の実施形態１に係る海水通水設備の浄化装置の海水通水設備への取り付け動作及び浄化装置の動作を示すフローチャートである。
【図３】本考案の実施形態２に係る海水通水設備の浄化装置の全体構成を示す概略図である。
【図４】本考案の実施形態２に係る海水通水設備の浄化装置の海水通水設備への取り付け動作及び浄化装置の動作を示すフローチャートである。
【図５】本考案の実施形態３に係る海水通水設備の浄化装置の全体構成を示す概略図である。
【図６】本考案の実施形態４に係る海水通水設備の浄化装置の全体構成を示す概略図である。
【図７】本考案の実施形態４に係る海水通水設備の浄化装置の海水通水設備への取り付け動作及び浄化装置の動作を示すフローチャートである。
【図８】本考案の実施形態５に係る海水通水設備の浄化装置の全体構成を示す概略図である。
【図９】本考案の実施形態５に係る海水通水設備の浄化装置の海水通水設備への取り付け動作及び浄化装置の動作を示すフローチャートである。
【図１０】本考案の実施形態６に係る海水通水設備の浄化装置の全体構成を示す概略図である。
【考案を実施するための形態】
【００３４】
以下、添付図面を参照して本考案のいくつかの実施形態について説明する。ただし、本考案の範囲は以下の実施形態に限定されるものではない。以下の実施形態に記載されている構成部品の寸法、材質、形状、その相対配置などは、本考案の範囲をそれにのみ限定する趣旨ではなく、単なる説明例に過ぎない。
【００３５】
以下の実施形態における「海水通水設備１」は、各種プラントの構成要件のうち海水が流通する設備であり、限定はしないが例えば、各種プラントの軸冷クーラ、原子力プラントの補機（例えば、原子炉補機冷却水系統の各種クーラやポンプ等）を冷却するための設備（原子炉補機冷却系統）、廃止措置中の原子力プラントにおける安全系設備の補機を冷却するための設備等である。これらの設備は、後付け可能な浄化装置によって浄化するのに適した比較的小規模な設備である。
【００３６】
（実施形態１）
図１に示されるように、海水通水配管２に海水通水設備１が設けられている。海水通水設備１の入口側及び出口側の海水通水配管２上に、海水通水配管２から分岐する取り出し口３及び４がそれぞれ設けられ、取り出し口３及び４にはそれぞれバルブ５及び６が設けられている。バルブ５及び６にはそれぞれ、他の配管との接続用のフランジ又はカプラのような連結器７及び８が設けられている。海水通水配管２上にはさらに、取り出し口３よりも上流側及び取り出し口４よりも下流側にそれぞれ、バルブ２７及び２８が設けられている。
【００３７】
浄化装置１０は、海水通水設備１の出口側に連通する取り出し口４に設けられたバルブ６に連結器８を介して接続された浄化装置入口配管１１と、海水通水設備１の入口側に連通する取り出し口３に設けられたバルブ５に連結器７を介して接続された浄化装置出口配管１２と、水を加熱して温水を作るための加熱装置１３と、浄化装置出口配管１２を介して海水通水設備１に温水を供給するためのポンプ１４とを備えている。加熱装置１３及びポンプ１４とは互いに配管１５を介して連通した状態で、コンテナのような可搬体２０に収納されている。可搬体２０は、トラックのような輸送体２１の荷台に載せられて、移動可能となっている。すなわち、浄化装置１０は、海水通水設備１に常設された設備ではなく、必要時に輸送体２１で搬入されて海水通水設備１に後付け可能な設備である。
【００３８】
加熱装置１３の入口側の配管１６の端部には、浄化装置入口配管１１と連結可能な連結器１７が設けられ、ポンプ１４の出口側の配管１８の端部には、浄化装置出口配管１２と連結可能な連結器１９が設けられている。連結器１７及び１９もそれぞれ、フランジやカプラのような任意の公知の連結器である。配管１６には、分岐管２３の一端が接続されている。分岐管２３の他端は、一端が水源２９に接続された配管２２の他端に設けられているフランジ又はカプラのような連結器２４を介して、配管２２の他端に接続されている。配管２２にはバルブ２５が設けられている。
【００３９】
次に、本考案の実施形態１に係る浄化装置の海水通水設備１への取り付け動作及び浄化装置の動作を、図２のフローチャートを用いて説明する。
浄化装置入口配管１１をバルブ６の連結器８に接続し（ステップＳ１１）、浄化装置出口配管１２をバルブ５の連結器７に接続する（ステップＳ１２）。次に、輸送体２１に載せた可搬体２０を搬入する、すなわち、可搬体２０に収容された加熱装置１３及びポンプ１４を搬入する（ステップＳ１３）。尚、ステップＳ１１〜Ｓ１３までは、この順序通りに実施しなくてはならないものではなく、任意の順序で行ってもよい。
【００４０】
浄化装置入口配管１１を連結器１７に接続し、浄化装置出口配管１２を連結器１９に接続し、分岐管２３を連結器２４に接続することで、浄化装置１０を海水通水設備１に取り付ける（ステップＳ１４）。実施形態１では、１つの可搬体２０を移動することによりポンプ１４及び加熱装置１３を同時に搬入できるので、海水通水設備１の浄化装置１０を容易に構成することができる。
【００４１】
次に、バルブ２７及び２８を閉止するとともにバルブ５及び６を開いた後、バルブ２５を開いて水源２９から配管２２及び分岐管２３を介して加熱装置１３に水を供給する（ステップＳ１５）。加熱装置１３は、供給された水を加熱して温水を作る（ステップＳ１６）。加熱装置１３で作られた温水をポンプ１４が、浄化装置出口配管１２及び海水通水配管２を介して海水通水設備１に供給する（ステップＳ１７）。尚、加熱装置１３が加熱を行うための電力源及びポンプ１４の電力源には、輸送体２１のバッテリから供給される電力や、可搬体２０内に設けられるバッテリから供給される電力や、海水通水設備１が設けられるプラントの電力等を使用することができる。
【００４２】
温水が海水通水設備１を流通すると、海水通水設備１の温度が上昇する。海水通水設備１に付着した海生物又はその卵は、温度の上昇により死滅する。これにより、海水通水設備１に付着した海生物が繁殖することを抑制することができる。海水通水設備１を流出した温水は、浄化装置入口配管１１を介して浄化装置１０に戻り、加熱装置１３によって加熱された後、ポンプ１４によって再び海水通水設備１に供給されるように循環する。浄化装置１０と、海水通水配管２と、海水通水設備１とが温水で満たされるようになったら、バルブ２５を閉止して水源２９から加熱装置１３への水の供給を停止する（ステップＳ１８）。
【００４３】
海水通水設備１の浄化動作の終了後、加熱装置１３及びポンプ１４の駆動を停止して温水の循環を停止する（ステップＳ１９）。バルブ５及び６を閉止した後、バルブ５及び６からそれぞれ浄化装置出口配管１２及び浄化装置入口配管１１を取り外すことにより、海水通水設備１から浄化装置１０を取り外す（ステップＳ２０）。
【００４４】
このように、必要時のみポンプ１４と加熱装置１３とを搬入して海水通水設備１の浄化装置１０を構成できるので、既存プラントに設けられている海水通水設備１を浄化することができる。
【００４５】
実施形態１では、浄化装置入口配管１１及び浄化装置出口配管１２はそれぞれ、連結器１７及び１９を介して加熱装置１３及びポンプ１４に連結されるものであるが、この形態に限定するものではない。浄化装置入口配管１１及び浄化装置出口配管１２がそれぞれ加熱装置１３及びポンプ１４に連通するように一体であってもよく、または、浄化装置入口配管１１又は浄化装置出口配管１２のいずれかが加熱装置１３又はポンプ１４に連通するように一体であってもよい。
【００４６】
（実施形態２）
次に、実施形態２に係る浄化装置について説明する。実施形態２に係る浄化装置は、実施形態１に対して、海水通水設備１に残留する海水を排水可能にしたものである。尚、実施形態２において、実施形態１の構成要件と同じものは同じ参照符号を付し、その詳細な説明は省略する。
【００４７】
図３に示されるように、可搬体２０内において、加熱装置１３とポンプ１４とを接続する配管１５上に、加熱装置１３によって作られた温水を貯留するためのタンク３０が設けられている。また、海水通水設備１は、その内部に残留する海水を排水するための排水管３２と、排水管３２に設けられたバルブ３３とを有している。その他の構成は、実施形態１と同じである。
【００４８】
次に、本考案の実施形態２に係る浄化装置の海水通水設備１への取り付け動作及び浄化装置の動作を、図４のフローチャートを用いて説明する。
ステップＳ１１及びＳ１２は実施形態１と同じである。次に、加熱装置１３とポンプ１４とタンク３０とを搬入する（ステップＳ２１）。ステップＳ２１の終了後、実施形態１のステップ１４と同じ動作で浄化装置１０を海水通水設備１に取り付ける。実施形態２では、１つの可搬体２０を移動することによりポンプ１４、加熱装置１３、及びタンク３０を同時に搬入できるので、海水通水設備１の浄化装置１０を容易に構成することができる。
【００４９】
ステップＳ１４の終了後、バルブ２７及び２８を閉止する。続いて、バルブ３３を開くことにより、海水通水設備１の内部に残留する海水を排水管３２を介して排水する（ステップＳ２２）。海水通水設備１からの海水の排水が終了したらバルブ３３を閉止した後、実施形態１と同様にして、加熱装置１３に水を供給する（ステップＳ１５）。その後、加熱装置１３によって温水を作る（ステップＳ１６）。加熱装置１３によって作られた温水は、タンク３０に貯留される（ステップＳ２３）。タンク３０内の温水の量がある一定以上となったら、ポンプ１４を起動して、実施形態１と同様にして、タンク３０内の温水を、浄化装置出口配管１２及び海水通水配管２を介して海水通水設備１に供給する（ステップＳ１７）。その後のステップＳ１８〜Ｓ２０は実施形態１と同じである。
【００５０】
実施形態２では、海水通水設備１に温水を流通させる前に、海水通水設備１の内部に残留する海水を排水することより、海水通水設備１の内部に残留する海水が浄化装置入口配管１１を介して浄化装置１０内に戻り、加熱装置１３によって作られる温水と混合して温水の温度を低下させてしまうことを防ぐことができる。また、タンク３０に貯留された温水をポンプ１４が海水通水設備１に供給できるので、ポンプ１４が温水と共にガスを吸引してポンプ１４が損傷するおそれを低減することができる。
【００５１】
（実施形態３）
次に、実施形態３に係る浄化装置について説明する。実施形態３に係る浄化装置は、実施形態１及び２のそれぞれに対して、浄化装置入口配管１１を流通した温水を濾過するための濾過器を追加したものである。以下では、実施形態２の構成に濾過器を付加した形態で実施形態３を説明するが、実施形態１の構成に濾過器を付加して実施形態３とすることもできる。尚、実施形態３において、実施形態１及び２の構成要件と同じものは同じ参照符号を付し、その詳細な説明は省略する。
【００５２】
図５に示されるように、可搬体２０内において、配管１６には、分岐管２３が接続される部分よりも上流側に、浄化装置入口配管１１を流通した温水を濾過するための濾過器４０が設けられている。その他の構成は、実施形態２と同じである。
【００５３】
本考案の実施形態３に係る浄化装置の海水通水設備１への取り付け動作及び浄化装置の動作は、加熱装置１３とポンプ１４とタンク３０と濾過器４０とが可搬体２０内に収納されているのでこれらが同時に搬入される点を除き、実施形態２と同じである。実施形態３では、海生物が付着している可能性のある海水通水設備１を流通して海水通水設備１の浄化装置１０に戻る温水が濾過器４０によって浄化されるので、ポンプ１４に海生物が流入してポンプ１４が損傷するおそれを低減することができる。
【００５４】
実施形態１〜３では、可搬体２０と輸送体２１とは別々の構成要件であったが、両者が一体であってもよい。例えば、輸送体２１がトラックであり、加熱装置１３及びポンプ１４（並びにタンク３０及び濾過器４０）がトラックの荷台に配置されている場合には、可搬体２０はトラックの荷台に該当する。また、可搬体２０が輸送体２１に載せられていなくてもよい。加熱装置１３及びポンプ１４（並びにタンク３０及び濾過器４０）の重量及びサイズによっては、加熱装置１３及びポンプ１４を収納する可搬体２０を人力で輸送することができる。この場合には、輸送しやすいように、可搬体２０にキャスターや車輪をつけてもよい。
【００５５】
（実施形態４）
次に、実施形態４に係る浄化装置について説明する。実施形態４に係る浄化装置は、実施形態１に対して、加熱装置及びポンプの構成を変更したものである。尚、実施形態４において、実施形態１の構成要件と同じものは同じ参照符号を付し、その詳細な説明は省略する。
【００５６】
図６に示されるように、浄化装置５０は、浄化装置入口配管１１と、浄化装置出口配管１２と、水を加熱して温水を作るための可搬式加熱装置５３と、浄化装置出口配管１２を介して海水通水設備１に温水を供給するための可搬式ポンプ５４とを備えている。可搬式加熱装置５３は、その入口側配管５３ｃ及び出口側配管５３ｄの端部にそれぞれ、フランジやカプラのような連結器である通水入口部５３ａ及び通水出口部５３ｂを有している。入口側配管５３ｃには、分岐管２３の一端が接続されている。可搬式ポンプ５４は、その入口側配管５４ｃ及び出口側配管５４ｄの端部にそれぞれ、フランジやカプラのような連結器である通水入口部５４ａ及び通水出口部５４ｂを有している。
【００５７】
可搬式加熱装置５３の通水出口部５３ｂと可搬式ポンプ５４の通水入口部５４ａとを連結することにより、可搬式加熱装置５３と可搬式ポンプ５４とが接続されている。可搬式加熱装置５３の通水入口部５３ａには浄化装置入口配管１１が接続されている。可搬式ポンプ５４の通水出口部５４ｂには浄化装置出口配管１２が接続されている。その他の構成は実施形態１と同じである。
【００５８】
次に、本考案の実施形態４に係る浄化装置の海水通水設備１への取り付け動作及び浄化装置の動作を、図７のフローチャートを用いて説明する。
ステップＳ１１及びＳ１２は実施形態１と同じである。次に、可搬式加熱装置５３及び可搬式ポンプ５４を搬入する（ステップＳ３１）。可搬式加熱装置５３及び可搬式ポンプ５４は、それらの重量及びサイズに応じて、人力で搬入してもよく、又は、任意の輸送体に載せて搬入してもよい。尚、ステップＳ１１〜Ｓ１２及びＳ３１までは、この順序通りに実施しなくてはならないものではなく、任意の順序で行ってもよい。
【００５９】
浄化装置入口配管１１を可搬式加熱装置５３の通水入口部５３ａに接続し、浄化装置出口配管１２を可搬式ポンプ５４の通水出口部５４ｂに接続し、分岐管２３を連結器２４に接続し、通水出口部５３ｂと通水入口部５４ａとを連結することで、浄化装置５０を海水通水設備１に取り付ける（ステップＳ３２）。実施形態４では、可搬式加熱装置５３及び可搬式ポンプ５４はそれぞれ、通水入口部５３ａ，５４ａ及び通水出口部５３ｂ，５４ｂを有し、通水出口部５３ｂと通水入口部５４ａとを接続することにより可搬式加熱装置５３と可搬式ポンプ５４とを容易に接続することができるので、海水通水設備１の浄化装置１０を容易に構成することができる。
【００６０】
ステップＳ３２以降のステップＳ１５〜Ｓ２０までは実施形態１と同じである。これにより、必要時のみ可搬式ポンプ５４と可搬式加熱装置５３とを搬入して海水通水設備１の浄化装置１０を構成できるので、既存プラントに設けられている海水通水設備１を浄化することができる。
【００６１】
（実施形態５）
次に、実施形態５に係る浄化装置について説明する。実施形態５に係る浄化装置は、実施形態２に対して、加熱装置及びポンプの構成を変更したものである。尚、実施形態５において、実施形態２の構成要件と同じものは同じ参照符号を付し、その詳細な説明は省略する。
【００６２】
図８に示されるように、可搬式加熱装置５３と可搬式ポンプ５４との間に、可搬式加熱装置５３によって作られた温水を貯留するためのタンク６０が設けられている。タンク６０は、その入口側配管６０ｃ及び出口側配管６０ｄの端部にそれぞれ、フランジやカプラのような連結器である通水入口部６０ａ及び通水出口部６０ｂを有している。通水入口部６０ａと通水出口部５３ｂとが接続され、通水出口部６０ｂと通水入口部５４ａとが接続されている。その他の構成は、実施形態２と同じである。
【００６３】
次に、本考案の実施形態５に係る浄化装置の海水通水設備１への取り付け動作及び浄化装置の動作を、図９のフローチャートを用いて説明する。
ステップＳ１１及びＳ１２は実施形態２と同じである。次に、可搬式加熱装置５３と可搬式ポンプ５４とタンク６０とを搬入する（ステップＳ４１）。可搬式加熱装置５３と可搬式ポンプ５４とタンク６０とは、それらの重量及びサイズに応じて、人力で搬入してもよく、又は、任意の輸送体に載せて搬入してもよい。尚、ステップＳ１１〜Ｓ１２及びＳ４１までは、この順序通りに実施しなくてはならないものではなく、任意の順序で行ってもよい。
【００６４】
通水入口部６０ａと通水出口部５３ｂとを接続するとともに通水出口部６０ｂと通水入口部５４ａとを接続することにより、可搬式加熱装置５３とタンク６０と可搬式ポンプ５４とを接続する。また、浄化装置入口配管１１を可搬式加熱装置５３の通水入口部５３ａに接続し、浄化装置出口配管１２を可搬式ポンプ５４の通水出口部５４ｂに接続し、分岐管２３を連結器２４に接続する。これにより、浄化装置５０を海水通水設備１に取り付ける（ステップＳ４２）。実施形態５では、可搬式加熱装置５３とタンク６０と可搬式ポンプ５４とはそれぞれ、通水入口部５３ａ，６０ａ，５４ａ及び通水出口部５３ｂ，６０ｂ，５４ｂを有し、通水入口部６０ａと通水出口部５３ｂとを接続するとともに通水出口部６０ｂと通水入口部５４ａとを接続することにより可搬式加熱装置５３とタンク６０と可搬式ポンプ５４とを容易に接続することができるので、海水通水設備１の浄化装置５０を容易に構成することができる。
【００６５】
ステップＳ４２以降のステップＳ２２〜Ｓ２０までは実施形態２と同じである。このため、実施形態２と同様に、海水通水設備１に温水を流通させる前に、海水通水設備１の内部に残留する海水を排水することにより、海水通水設備１の内部に残留する海水が浄化装置入口配管１１を介して浄化装置１０内に戻り、可搬式加熱装置５３によって作られる温水と混合して温水の温度を低下させてしまうことを防ぐことができる。また、タンク６０に貯留された温水を可搬式ポンプ５４が海水通水設備１に供給できるので、可搬式ポンプ５４が温水と共にガスを吸引して可搬式ポンプ５４が損傷するおそれを低減することができる。
【００６６】
（実施形態６）
次に、実施形態６に係る浄化装置について説明する。実施形態６に係る浄化装置は、実施形態４及び５のそれぞれに対して、浄化装置入口配管１１を流通した温水を濾過するための濾過器を追加したものである。以下では、実施形態５の構成に濾過器を付加した形態で実施形態６を説明するが、実施形態４の構成に濾過器を付加して実施形態６とすることもできる。尚、実施形態６において、実施形態４及び５の構成要件と同じものは同じ参照符号を付し、その詳細な説明は省略する。
【００６７】
図１０に示されるように、可搬式加熱装置５３と浄化装置入口配管１１との間には、浄化装置入口配管１１を流通した温水を濾過するための濾過器７０が設けられている。濾過器７０は、その入口側配管７０ｃ及び出口側配管７０ｄの端部にそれぞれ、フランジやカプラのような連結器である通水入口部７０ａ及び通水出口部７０ｂを有している。通水入口部７０ａと浄化装置入口配管１１とが接続され、通水出口部７０ｂと通水入口部５３ａとが接続されている。その他の構成は、実施形態５と同じである。
【００６８】
本考案の実施形態６に係る浄化装置の海水通水設備１への取り付け動作及び浄化装置の動作は、通水出口部７０ｂと通水入口部５３ａとを接続すること、及び、通水入口部７０ａと浄化装置入口配管１１とを接続すること以外は、実施形態５と同じである。実施形態６では、海生物が付着している可能性のある海水通水設備１を流通して海水通水設備１の浄化装置１０に戻る温水が濾過器７０によって浄化されるので、可搬式ポンプ５４に海生物が流入して可搬式ポンプ５４が損傷するおそれを低減することができる。
【００６９】
実施形態５及び６では、タンク６０及び濾過器７０が、可搬式加熱装置５３及び可搬式ポンプ５４と同様に可搬式であってもよく、または、海水通水設備１が設けられたプラントに備え付けられていてもよい。
【００７０】
実施形態１〜６ではそれぞれ、海水通水設備１を温水が流れる方向は、海水通水設備１を海水が流れる方向と同じであったが、浄化装置入口配管１１を連結器７に接続するとともに浄化装置出口配管１２を連結器８に接続することによって、海水通水設備１を温水が流れる方向を、海水通水設備１を海水が流れる方向と逆にしてもよい。
【００７１】
（１）本考案の少なくとも１つの実施形態に係る海水通水設備を浄化する方法は、
海水通水設備を浄化する方法であって、
前記海水通水設備の入口側又は出口側の一方に浄化装置入口側配管を接続するステップと、
前記海水通水設備の入口側又は出口側の他方に浄化装置出口側配管を接続するステップと、
水を加熱して温水を作るための加熱装置を搬入するステップと、
前記浄化装置出口側配管介して前記温水を前記海水通水設備に供給するためのポンプを搬入するステップと、
前記加熱装置によって前記温水を作るステップと、
前記温水を作るステップの後に、前記温水を前記浄化装置出口部と、前記海水通水設備と、前記浄化装置入口配管とを順次流通させることにより、前記温水を循環させるステップと
を含む。
【００７２】
上記（１）の方法によると、必要時のみポンプと加熱装置とを搬入して海水通水設備を浄化できるので、既存プラントに設けられている海水通水設備を浄化することができる。
【００７３】
（２）いくつかの実施形態では、上記（１）の方法において、
前記方法は、前記温水を作るステップの前に、
前記海水通水設備から、残留する海水を排水するステップと、
前記海水をブローした後に前記加熱装置に前記水を供給するステップと
をさらに含む。
【００７４】
上記（２）の方法によると、海水通水設備に温水を流通させる前に、海水通水設備の内部に残留する海水を排水することより、海水通水設備の内部に残留する海水が浄化装置入口配管を介して浄化装置内に戻り、加熱装置によって作られる温水と混合して温水の温度を低下させてしまうことを防ぐことができる。
【符号の説明】
【００７５】
１  海水通水設備
２  海水通水配管
３  取り出し口
４  取り出し口
５  バルブ
６  バルブ
７  連結器
８  連結器
１０  浄化装置
１１  浄化装置入口配管
１２  浄化装置出口配管
１３  加熱装置
１４  ポンプ
１５  配管
１６  配管
１７  連結器
１８  配管
１９  連結器
２０  可搬体
２１  輸送体
２２  配管
２３  分岐管
２４  連結器
２５  バルブ
２７  バルブ
２８  バルブ
２９  水源
３０  タンク
３２  排水管
３３  バルブ
４０  濾過器
５０  浄化装置
５３  可搬式加熱装置
５３ａ  （可搬式加熱装置の）通水入口部
５３ｂ  （可搬式加熱装置の）通水出口部
５３ｃ  （可搬式加熱装置の）入口側配管
５３ｄ  （可搬式加熱装置の）出口側配管
５４  可搬式ポンプ
５４ａ  （可搬式ポンプの）通水入口部
５４ｂ  （可搬式ポンプの）通水出口部
５４ｃ  （可搬式ポンプの）入口側配管
５４ｄ  （可搬式ポンプの）出口側配管
６０  タンク
６０ａ  （タンクの）通水入口部
６０ｂ  （タンクの）通水出口部
６０ｃ  （タンクの）入口側配管
６０ｄ  （タンクの）出口側配管
【図１】
0003213493.tif 000003
【図２】
0003213493.tif 000004
【図３】
0003213493.tif 000005
【図４】
0003213493.tif 000006
【図５】
0003213493.tif 000007
【図６】
0003213493.tif 000008
【図７】
0003213493.tif 000009
【図８】
0003213493.tif 000010
【図９】
0003213493.tif 000011
【図１０】
0003213493.tif 000012